(57)【要約】【課題】予め所定長さに切断された垂木、特に複数の垂木等がユニット化されたものを横架材に対して正確、簡便、且つ安全に固定することができる垂木固定部材を提供する。【解決手段】本垂木固定部材は、横架材の上面に固定される基部１０から起立して、該横架材に固定される垂木の勾配と略直交し且つ勾配上方へ向いた規制面１１ａを有する起立部１１が形成され、該規制面１１ａに、垂木を遊嵌させる切欠き１２と留め具を挿通させる貫通孔１３とが形成された第１の固定部材１００と、前記規制面１１ａと当接する羽根部２１が、垂木に固定される垂木受け部２０から該垂木の軸線方向と略直交する方向に突設され、該羽根部２１に前記貫通孔１３と対応する貫通孔２２が穿設された第２の固定部材２００と、第１の固定部材１００の貫通孔１３及び第２の固定部材２００の貫通孔２２に挿通されて両固定部材を締結する留め具４０，４１と、を具備してなるものである。【選択図】      図１４
2004346560.tif 000002
【特許請求の範囲】
【請求項１】
木造小屋組を構成する横架材に垂木を固定するための垂木固定部材であって、
横架材の上面に固定される基部から起立して、該横架材に固定される垂木の勾配と略直交し且つ勾配上方へ向いた規制面を有する起立部が形成され、該規制面に、垂木を遊嵌させる切欠きと留め具を挿通させる貫通孔とが形成された第１の固定部材と、
前記規制面と当接する羽根部が、垂木に固定される垂木受け部から該垂木の軸線方向と略直交する方向に突設され、該羽根部に前記貫通孔と対応する貫通孔が穿設された第２の固定部材と、
第１の固定部材の貫通孔及び第２の固定部材の貫通孔に挿通されて両固定部材を締結する留め具と、を具備してなる垂木固定部材。
【請求項２】
前記第１の固定部材の貫通孔又は前記第２の固定部材の貫通孔の少なくともいずれか一方は横架材の長手方向の長穴であることを特徴とする請求項１に記載の垂木固定部材。
【請求項３】
前記第１の固定部材の切欠きは、起立部の上端から略鉛直方向に切欠されたものであり、前記第２の固定部材の垂木受け部は垂木の底面及び側面を支持し、且つ前記羽根部は垂木の側方へ突設されたものであることを特徴とする請求項１又は２に記載の垂木固定部材。
【請求項４】
前記第１の固定部材は軒桁に固定されるものであり、更に、母屋又は棟木の上面に固定される基部上に、所定勾配の垂木の底面を支持する垂木支持部が形成され、該垂木支持部に、垂木の側面に固定される垂木固定部が立設された第３の固定部材を具備してなるものであることを特徴とする請求項１乃至３のいずれかに記載の垂木固定部材。
【発明の詳細な説明】
【０００１】
【発明の属する技術分野】
本発明は、木造小屋組を構成する横架材に垂木を固定するための固定部材であり、特に、横架材に固定されて垂木の勾配及び位置を規制する第１の固定部材と、垂木に固定されて第１の固定部材と締結される第２の固定部材とから構成されるものに関する。
【０００２】
【従来の技術】
木造建築物の小屋組では、軒桁や母屋、棟木等の横架材に垂木を固定されることが一般的である。例えば母屋に垂木を固定する場合、垂木を支持する面積を確保するために、母屋に垂木掘りと呼ばれる切欠部を形成し、該切欠部に垂木を嵌めて垂木の両側から釘を斜め打ちして軒桁に固定するが、このような斜めの釘打ちによる垂木の固定では、作業者の熟練により固定強度が異なり、安定した強度を得ることが難しく、また、高所での釘打ち作業が危険であるという問題がある。
【０００３】
また、軒先に突出する垂木の寸法、所謂垂木の通りは、通りに対して寸法余裕をもたせて垂木を固定した後、通りを揃えて垂木を切断するが、このような作業も作業者の熟練を必要とし、また高所作業で危険であるという問題がある。
【０００４】
一方、垂木を予め所定長さに切断しておき、短冊状の金属板を中央付近で９０度捻った捻り金物を、垂木の側面と軒桁の軒桁に夫々当接させて釘打ち等により固定する方法がある（特許文献１参照）。しかし、軒先の通りを調整しながら、捻り金物により垂木を釘打ちで固定することは手間であり、寸法精度も確保し難いという問題がある。
【０００５】
これに対し、予め所定長さに切断された垂木を、軒桁に対して正確且つ効率よく固定することができる取付金具が考案されている（特許文献２参照）。該金具には、軒桁に付された軸線方向の基準線に対して位置合わせを行うための基準点と、垂木に付された位置決め用マークを合わせる基準点が設けられているので、軒桁に対して垂木を正確な位置に簡単に取り付けることができるという利点がある。
【０００６】
【特許文献１】
特開２０００−３８７７５号公報（［０００２］段、図７等）
【特許文献２】
特開２００２−８８９６５号公報
【０００７】
【発明が解決しようとする課題】
しかし、前記取付金具を用いても、取付金具を軒桁に固定した後、作業者が垂木を所定の勾配に維持した状態で支えながら、取付金具の基準点に垂木の位置決め用マークを合わせるために垂木を軸線方向に移動させ、位置決めをした後は、その位置からずれないように作業者が垂木を固定しながら、ボルトや釘を打ちつけることが必要であり、作業者の手間は以前として大きい。
【０００８】
また、工場等において予め複数の垂木と野路板等とを屋根ユニットとしてユニット化した場合や、現場の地上で垂木や野路板をある程度組み付けてから軒桁や母屋等に固定する工法の場合には、垂木を含む屋根ユニットをクレーンで吊り上げながら軒桁等に固定するが、該屋根ユニットのように重量があって複数の取付金具が必要なものを、クレーンで吊り上げた不安定な状態で、前述した方法により位置決めしながら固定することは困難である。
【０００９】
本発明は、これらの点に鑑みてなされたものであり、予め所定長さに切断された垂木、特に複数の垂木等がユニット化されたものを横架材に対して正確、簡便、且つ安全に固定することができる垂木固定部材を提供することを目的とする。
【００１０】
【課題を解決するための手段】
前記課題を解決するためになされた本発明は、木造小屋組を構成する横架材に垂木を固定するための垂木固定部材であって、横架材の上面に固定される基部から起立して、該横架材に固定される垂木の勾配と略直交し且つ勾配上方へ向いた規制面を有する起立部が形成され、該規制面に、垂木を遊嵌させる切欠きと留め具を挿通させる貫通孔とが形成された第１の固定部材と、前記規制面と当接する羽根部が、垂木に固定される垂木受け部から該垂木の軸線方向と略直交する方向に突設され、該羽根部に前記貫通孔と対応する貫通孔が穿設された第２の固定部材と、第１の固定部材の貫通孔及び第２の固定部材の貫通孔に挿通されて両固定部材を締結する留め具と、を具備してなるものである。垂木に固定された第２の固定部材の羽根部を、横架材に固定された第１の固定部材の当接面に当接することにより、垂木が担持されるとともに横架材に対する位置決めがなされ、留め具により第１の固定部材と第２の固定部材とを締結することにより、横架材に垂木が固定される。
【００１１】
また、本発明は、前記垂木固定部材において、前記第１の固定部材の貫通孔又は前記第２の固定部材の貫通孔の少なくともいずれか一方は横架材の長手方向の長穴である。これにより、該長穴の範囲内で、第１の固定部材の切欠きに遊嵌された垂木を、横架材の長手方向に対して位置調整して固定することができる。
【００１２】
また、本発明は、前記垂木固定部材において、前記第１の固定部材の切欠きは、起立部の上端から略鉛直方向に切欠されたものであり、前記第２の固定部材の垂木受け部は垂木の底面及び側面を支持し、且つ前記羽根部は垂木の側方へ突設されたものである。これにより、垂木を第１の固定部材の上方から切欠きに遊嵌し、第２の固定部材の羽根部を第１の固定部材の規制面に当接することができるので、固定作業がし易い。
【００１３】
また、本発明は、前記第１の固定部材は軒桁に固定されるものであり、更に、母屋又は棟木の上面に固定される基部上に、所定勾配の垂木の底面を支持する垂木支持部が形成され、該垂木支持部に、垂木の側面に固定される垂木固定部が立設された第３の固定部材を具備してなるものである。垂木を軒桁、母屋、及び棟木に固定する際には、第１の固定部材を軒桁に、第２の固定部材を垂木に、第３の固定部材を母屋及び棟木に夫々予め固定しておき、軒桁に対しては第１の固定部材の規制面に第２の固定部材の羽根部を当接して垂木を担持させ、母屋及び棟木に対しては第３の固定部材の垂木支持部上に垂木を載置することにより、安定した状態で垂木を軒桁、母屋、及び棟木上に仮置きすることができ、その後の留め具による第１の固定部材と第２の固定部材との固定作業、及び第３の固定部材と垂木との固定作業がし易くなる。
【００１４】
【発明の実施の形態】
以下、本発明の実施の形態を図面に基づき具体的に説明する。
図１は、本発明の実施の形態に係る第１の固定部材１００の構成を示す斜視図であるが、図に示すように、第１の固定部材１００は、横架材の上面に固定される基部１０から略鉛直上方に起立部１１が形成され、該起立部１１が所定高さから傾斜するように曲折されて規制面１１ａを形成するとともに、該規制面１１ａに、垂木を遊嵌させる切欠き１２とボルト等の留め具を挿通させる貫通孔１３とが形成されたものである。
【００１５】
第１の固定部材１００は略矩形の鋼板に曲折、切欠等の加工を施すことにより得ることができ、鋼板の表裏面を横架材の軸線方向として、下端に２箇所の切込みを設け両端側が横架材の屋内方向、中央が横架材の屋外方向となるように略直角に曲折されることにより、その底面が横架材の上面と接触する基部１０が形成されている。基部１０の形状は本実施の形態に示したものに限定されず種々の変更が可能であるが、図に示すように、横架材の屋内側及び屋外側の双方に基部１０を設ければ、起立部１１に締結される第２の固定部材を介して垂木を支持する強度が高くなるので好適である。各基部１０には厚み方向に貫通孔１４が穿設されており、該貫通孔１４にボルトや釘等が挿通されて横架材に貫入されることにより、第１の固定部材１００が横架材の上面に固定されるようになっている。
【００１６】
また、前記基部１０の上側の鋼板が、基部１０と略直角な起立部１１を構成しており、該起立部１１は所定位置から横架材の屋外側へ曲折されている。図２は、第１の固定部材１００の側面図であるが、図に示すように、起立部１１は、その面が横架材に固定される垂木の勾配αと略直交するように屋外側へ曲折され、垂木の勾配上方へ向いた面が規制面１１ａとなっている。垂木の勾配αは、木造住宅の屋根勾配の設計に従って設定されるものなので、規制面１１ａを形成するための起立部１１の曲折角度も、同様に、本第１の固定部材１００を用いて横架材に垂木を固定する木造住宅の屋根勾配の設計に従って予め設定しておく。
【００１７】
図３は、第１の固定部材１００の正面図であるが、図に示すように、前記切欠き１２は、起立部１１の上端の略中央から略鉛直方向に切欠されたものであり、切欠き１２の幅は固定すべき垂木の幅より大きいものである。従って、垂木を固定する際には第１の固定部材１００の上方から切欠き１２に遊嵌することができるので、作業が容易である。また、切欠き１２の幅を垂木の幅に対して余裕を持たせ、切欠き１２に対して垂木を遊嵌状態としているので、垂木を軸方向に移動させたり、一定範囲内で幅方向に移動させることができるようになっている。
【００１８】
図４は、本発明の実施の形態に係る第２の固定部材２００の構成を示す斜視図であるが、図に示すように、第２の固定部材２００は、垂木に固定される垂木受け部２０から第１の固定部材１００の規制面１１ａと当接するための羽根部２１が突設され、該羽根部２１に第１の固定部材１００の貫通孔１３と対応する貫通孔２２が穿設されたものである。第２の固定部材２００も所定形状の鋼板に曲折、打ち抜き等の加工を施すことにより得ることができる。
【００１９】
垂木受け部２０は、両側部２０Ｌ，２０Ｒ及び底部２０Ｂからなる上側を開放とした縦断面が略コの字形状のものであり、該垂木受け部２０に垂木が嵌合されることにより、垂木受け部２０の各内面が垂木の底面及び両側面と夫々接触した状態となって垂木を支持するようになっている。垂木受け部２０の両側部２０Ｌ，２０Ｒ及び底部２０Ｂには、夫々貫通孔２３が穿設されており、該貫通孔２３にボルトや釘等を挿通して垂木に貫入することにより、第２の固定部材２００を垂木に固定できるようになっている。また、両側部２０Ｌ，２０Ｒの各貫通孔２３は、垂木の高さ方向の位置を互いに異なるものとして、底部２０Ｂの貫通孔２３は、垂木の軸方向の位置を両側部２０Ｌ，２０Ｒの各貫通孔２３と異なるものとして、各貫通孔２３に挿通し垂木に貫入する釘等が互いに干渉しないようになっている。
【００２０】
なお、木造小屋組では一般に、垂木の上面に野路板が固定されるので、垂木受け部２０の両側部２０Ｌ，２０Ｒは垂木の上面へ突出しないように、垂木の高さ寸法内のものとすることが好適である。また、第２の固定部材２００は、垂木受け部２０により、少なくとも垂木の底面及び一側面に固定されれば十分であり、垂木受け部２０を、側部２０Ｌを省略したＬ字形状のものとしてもよいが、垂木の両側面ともに固定する本実施の形態に構成とすれば、垂木の固定強度が高くなる。
【００２１】
羽根部２１は、図５に示すように、第２の固定部材２００を構成する鋼板が、前記垂木受け部２０の側部２０Ｒから外側へ略直角に曲折されることにより、その面が垂木受け部２０に固定された垂木の軸線方向と略直交する方向となるように、垂木受け部２０に突設されている。これにより、垂木受け部２０に垂木を固定した場合に、該垂木の側方であって軸線と略直交する方向へ羽根部２１が突出して、屋外側、即ち垂木の勾配下方へ向いた当接面２１ａが形成される。
【００２２】
なお、羽根部２１は垂木受け部２０のいずれの側方に突設しても、両側方に突設することとしてもよい。また、羽根部２１も前記垂木受け部２０の両側部２０Ｌ，２０Ｒと同様に、垂木の上面へ突出しないように、垂木の高さ寸法内のものとすることが好適である。
【００２３】
羽根部２１に穿設された貫通孔２２は、図４に示すように、横方向の長穴である。即ち、該長穴は、垂木受け部２０に固定される垂木の軸線方向に対して略直交する方向であり、横架材に対しては長手方向に長いものとなっている。これにより、第１の固定部材１００に第２の固定部材２００をボルト等の留め具により締結する場合に、長穴の範囲内で、第１の固定部材１００の切欠き１２に遊嵌された垂木を、横架材の長手方向に対して位置調整することができる。なお、本実施の形態では、第２の固定部材の貫通孔２２を長穴としたが、第１の固定部材１００の貫通孔１３又は第２の固定部材２００の貫通孔２２の少なくともいずれか一方を横架材の長手方向の長穴とすればよい。
【００２４】
図６は、本発明の実施の形態に係る第３の固定部材３００の構成を示す斜視図であるが、図に示すように、第３の固定部材２００は、母屋又は棟木の上面に固定される基部３０Ａと母屋又は棟木の側面に固定される基部３０Ｂとに跨って、所定勾配の垂木の底面を支持する垂木支持部３１が形成され、垂木支持部３１の側部から垂木固定部３２が立設されてなるものである。このような第３の固定部材３００も所定形状の鋼板に曲折、打ち抜き等の加工を施すことにより得ることができる。
【００２５】
基部３０Ａには、その厚み方向に貫通孔３３が穿設されており、母屋又は棟木の上面に接触させた状態で、該貫通孔３３にボルトや釘等を挿通して母屋又は棟木に貫入することにより、第３の固定部材３００を母屋又は棟木の上面に対して固定できるようになっている。一方、基部３０Ｂは、鋼板が略直角に曲折された形状であり、母屋又は棟木の上面と側面の隅部に合致するものとなっている。該基部３０Ｂの下端付近にも、その厚み方向に貫通孔３４が穿設されており、母屋又は棟木の隅部に接触させた状態で、該貫通孔３４にボルトや釘等を挿通して母屋又は棟木に貫入することにより、第３の固定部材３００を母屋又は棟木の側面に対して固定できるようになっている。
【００２６】
垂木支持部３１は、図７に示すように、基部３０Ａから起立した起立部３１ａと、基部３０Ｂから起立した起立部３１ｂと、これら起立部３１ａ，３１ｂに架設された支持部３１ｃとからなり、起立部３１ａ，３１ｂの高低差によって支持部３１ｃが垂木の勾配αと略同等に傾斜したものとなっている。このような垂木支持部３１により勾配αの垂木の底面を担持するように支持するものとなっている。
【００２７】
垂木固定部３２は、図６及び図７に示すように、鋼板が前記垂木支持部３１の支持部３１ｃから略直角に上方ヘ曲折されてなるものであり、該支持部３１ｃと相まって、垂木の底面と側面の隅部に合致したものとなっている。該垂木固定部３２には、その厚み方向に貫通孔３５が穿設されており、垂木固定部３２の内面を垂木の側面に接触させた状態で、該貫通孔３５にボルトや釘等を挿通して母屋又は棟木に貫入することにより、第３の固定部材３００を垂木に固定できるようになっている。
【００２８】
なお、垂木固定部３２も、前記垂木受け部２０と同様に、垂木の上面へ突出しないように、垂木の高さ寸法内のものとすることが好適である。また、本実施の形態では、垂木支持部３１の一側方にのみ垂木固定部３２が立設されたものとしたが、垂木の両側面に接して垂木を挟入するように、垂木支持部３１の両側方に垂木固定部３２を立設すれば、垂木の固定強度が高くなる。
【００２９】
以下、前記第１の固定部材１００、第２の固定部材２００、及び第３の固定部材３００を用いて、軒桁、母屋等の横架材に垂木を固定する方法について詳述する。
図８は、一般的な木造小屋組の一部を示すものであり、軒桁Ａ、小屋梁Ｂが組まれ、小屋梁Ｂ上に小屋束Ｃが適宜立設され、各小屋束Ｃ上に母屋Ｄが横架されている。また、図には示していないが、棟の頂点には棟木が横架されている。これら軒桁Ａ及び母屋Ｄ、棟木を横架材として、垂木Ｅが所定勾配で固定されることにより小屋組を構成し、該垂木Ｅの軒桁Ａから突出した部分が軒先となる。なお、本木造小屋組は一例であり、本発明に係る固定部材の使用が当該木造小屋組に限定されるものではない。
【００３０】
図８に示した木造小屋組では、各位置Ｐ１，Ｐ２，Ｐ３において、軒桁Ａ又は母屋Ｄと垂木Ｅとを固定する必要があるが、位置Ｐ１の固定に第１の固定部材１００及び第２の固定部材２００が用いられ、位置Ｐ２，Ｐ３の固定に第３の固定部材３００が用いられる。図には示していないが、棟木と垂木Ｅとの固定には第３の固定部材３００が用いられる。
【００３１】
軒桁Ａ及び母屋Ｄ等の横架材が組まれた後、軒桁Ａに第１の固定部材１００が、母屋Ｄに第３の固定部材３００が夫々所定位置に固定され、一方、垂木Ｅには第２の固定部材２００が予め所定位置に固定される。なお、第１の固定部材１００及び第３の固定部材３００を、夫々軒桁Ａや母屋Ｄに固定する作業は、軒桁Ａや母屋Ｄを建築物の軸組に組み込む前に、即ち、工場等において、軒桁Ａや母屋Ｄを予め所定寸法に加工するとともに行うこととしてもよい。同様に、垂木Ｅも工場で所定寸法に加工するとともに第２の固定部材２００を所定位置に固定しておいてもよく、また、複数の垂木Ｅを野路板等と予め組み合わせた屋根パネルとしておいてもよい。工場等において各部材を予め加工して各固定部材を所定位置に固定することにより、施工現場における木材の加工や釘打ち等を少なくすることができる。
【００３２】
図９は軒桁Ａの上面に第１の固定部材１００が固定された状態を示すものであるが、図に示すように、起立部１１の規制面１１ａが垂木の勾配上方を向くようにして、第１の固定部材１００の基部１０の底面と軒桁Ａの上面とを接触させた状態で、各貫通孔１４に釘１５を夫々挿入して軒桁Ａに打ち込むことにより固定している。このようにして、垂木Ｅを固定すべき軒桁Ａの各位置に第１の固定部材１００を夫々固定する。
【００３３】
図１０は垂木Ｅに第２の固定部材２００が固定された状態を示すものであるが、図に示すように、垂木受け部２０に垂木Ｅを嵌め込み、垂木受け部２０の各内面を垂木の底面及び両側面と夫々接触させた状態で、各貫通孔２３に釘２５を夫々挿入して垂木Ｅに打ち込むことにより固定している。前述したように、両側部２０Ｌ，２０Ｒの各貫通孔２３は、垂木の高さ方向の位置を互いに異なり、底部２０Ｂの貫通孔２３は、垂木の軸方向の位置を両側部２０Ｌ，２０Ｒの各貫通孔２３と異なるので、各貫通孔２３に挿通し垂木に貫入した釘２５が互いに干渉することはない。このようにして、垂木Ｅの各位置に第２の固定部材２００を夫々固定し、これにより、羽根部２１が垂木Ｅの軸線方向と略直交するようにして側方へ突出したものとなる。
【００３４】
図１１は母屋Ｄに第３の固定部材３００が固定された状態を示すものであるが、図に示すように、支持部３１の支持部３１ｃが垂木の勾配と合致するようにして、基部３０Ａの底面と母屋Ｄの上面とを接触させ、且つ基部３０Ｂを母屋Ｄの上面と側面の隅部に合致させた状態で、各貫通孔３４に釘３６を夫々挿入して母屋Ｄに打ち込むことにより固定している。このようにして、垂木Ｅを固定すべき母屋Ｄの各位置に第３の固定部材３００を夫々固定する。
【００３５】
このように、予め工場等において各固定部材が所定位置に固定された軒桁Ａ、母屋Ｄ、及び垂木Ｅが他の部材とともに施工現場に搬入し、小屋組が組み付ける。垂木Ｅを軒桁Ａ及び母屋Ｄに固定する際には、図１２に示すように、先ず、垂木Ｅを上方から第１の固定部材１００の起立部１１の切欠き１２に遊嵌し、垂木Ｅに固定された第２の固定部材２００の羽根部２１と、軒桁Ａに固定された第１の固定部材１００の規制面１１ａとを当接する。これにより、軒桁Ａに対する垂木Ｅの軸線方向の位置を決めがなされるとともに、第１の固定部材１００に垂木Ｅが担持され、垂木Ｅの落下が防止される。
【００３６】
次に、図１３に示すように、第２の固定部材２００の羽根部２１を第１の固定部材１００の規制面１１ａに当接させた状態のまま、垂木Ｅを母屋Ｄに固定された第３の固定部材３００の垂木支持部３１上に載置する。これにより、垂木Ｅは、第３の固定部材３００にも担持された状態となり、作業者が支えなくとも落下等することなく、安定した状態で軒桁Ａ及び母屋Ｄ上に垂木Ｅを仮置きできる。その後、垂木Ｅの水平方向、即ち軒桁Ａ及び母屋Ｄの長手方向の位置を調節する。図３で示したように、第１の固定部材１００の切欠き１２の幅は垂木Ｅの幅より大きく、垂木Ｅは切欠き１２に遊嵌された状態にあるので、一定範囲内で水平方向に移動することができる。また、第２の固定部材２００の羽根部２１に穿設された貫通孔２２は長穴であり、水平方向を向いているので、該長穴の範囲内で位置調節をしても、ボルト等の留め具を挿通することが可能である。
【００３７】
位置調節後、図１４に示すように、ボルト（留め具）４０を第１の固定部材１００の規制面１１ａ上の挿通孔１３と、第２の固定部材２００の羽根部２１の挿通孔２２に挿通し、ナット（留め具）４１を螺合して、両部材を締結する。また、第３の固定部材３００の垂木固定部３２の貫通孔３５に釘を挿通して垂木Ｅに打ち込み、垂木Ｅを固定する。このようにして、垂木Ｅを軒桁Ａ及び母屋Ｄに固定する。これら締結作業や釘打ちも、垂木Ｅが第１の固定部材１００及び第３の固定部材３００により仮置きされ、安定した状態で行うことができる。また、当該締結作業や釘打ち作業において、作業者は軒桁Ａや母屋Ｄの下側から作業を行うことができ、作業者が垂木Ｅの上側へ上がる必要がないので危険度が少ない。
【００３８】
なお、本実施の形態で示した垂木Ｅの固定方法は一例であり、本発明の係る垂木固定部材の使用方法が実施の形態に示した方法に限定されるものではない。また、本実施の形態では、母屋Ｄには第３の固定部材３００を固定するものとしたが、軒桁Ａと同様に、母屋Ｄにも第１の固定部材１００を固定するとともに、垂木Ｅの対応位置に第２の固定部材２００を固定して、母屋Ｄと垂木Ｅとの固定も、第１の固定部材１００と第２の固定部材２００との締結によるものとしてもよい。
【００３９】
【発明の効果】
このように、本発明に係る垂木固定部材によれば、横架材の上面に固定される基部から起立して、該横架材に固定される垂木の勾配と略直交し且つ勾配上方へ向いた規制面を有する起立部が形成され、該規制面に、垂木を遊嵌させる切欠きと留め具を挿通させる貫通孔とが形成された第１の固定部材と、前記規制面と当接する羽根部が、垂木に固定される垂木受け部から該垂木の軸線方向と略直交する方向に突設され、該羽根部に前記貫通孔と対応する貫通孔が穿設された第２の固定部材と、第１の固定部材の貫通孔及び第２の固定部材の貫通孔に挿通されて両固定部材を締結する留め具と、を具備してなるものとしたので、第２の固定部材の羽根部を第１の固定部材の当接面に当接させることにより、垂木を担持して落下を防止でき、また、横架材に対する垂木の位置決めがなされ、軒桁の通りの精度を簡易に向上させることができ、予め所定長さに切断された垂木、特に複数の垂木等がユニット化されたものを横架材に対して正確、簡便、且つ安全に固定することができる。
【００４０】
また、本発明によれば、前記第１の固定部材の貫通孔又は前記第２の固定部材の貫通孔の少なくともいずれか一方は横架材の長手方向の長穴としてので、横架材の長手方向に対して垂木の位置調整が可能である。
【００４１】
また、本発明によれば、前記第１の固定部材の切欠きは、起立部の上端から略鉛直方向に切欠され、前記第２の固定部材の垂木受け部は垂木の底面及び側面を支持し、且つ前記羽根部は垂木の側方へ突設されたものとしてので、該切欠きへ垂木を上方から遊嵌させることができて固定作業がし易いという利点がある。また、垂木受け部に垂木の底面及び側面を支持させることにより、垂木の固定強度が高くなり、羽根部を側方へ突出させることにより、その後に施工される野路板等と干渉することがない。
【００４２】
また、本発明によれば、前記第１の固定部材は軒桁に固定されるものであり、更に、母屋又は棟木の上面に固定される基部上に、所定勾配の垂木の底面を支持する垂木支持部が形成され、該垂木支持部に、垂木の側面に固定される垂木固定部が立設された第３の固定部材を具備してなるものとしたので、安定した状態で垂木を軒桁、母屋、及び棟木上に仮置きすることができ、垂木の位置調節や固定作業が容易となる。
【図面の簡単な説明】
【符号の説明】
【図１】本発明の実施の形態に係る第１の固定部材１００の構成を示す斜視図である。
【図２】規制面１１ａと垂木の勾配との関係を示す側面図である。
【図３】切欠き１２と垂木との関係を示す正面図である。
【図４】本発明の実施の形態に係る第２の固定部材２００の構成を示す斜視図である。
【図５】羽根部２１と垂木の軸線との関係を示す平面図である。
【図６】本発明の実施の形態に係る第３の固定部材３００の構成を示す斜視図である。
【図７】垂木支持部３１と垂木の勾配との関係を示す側面図である。
【図８】木造小屋組の一例を示す図である。
【図９】軒桁Ａに第１の固定部材１００が固定された状態を示す図である。
【図１０】垂木Ｅに第２の固定部材２００が固定された状態を示す図である。
【図１１】母屋Ｄに第３の固定部材３００が固定された状態を示す図である。
【図１２】垂木の固定方法を説明するための図である。
【図１３】垂木の固定方法を説明するための図である。
【図１４】第１の固定部材１００と第２の固定部材２００とがボルト４０及びナット４１により締結された状態を示す図である。
【符号の説明】
１００  第１の固定部材
１０  基部
１１ａ  規制面
１１  起立部
１２  切欠き
１３  貫通孔
２００  第２の固定部材
２０  垂木受け部
２１羽根部
２２  貫通孔
３００  第３の固定部材
３０Ａ，３０Ｂ  基部
３１  垂木支持部
３２  垂木固定部
４０  ボルト（留め具）
４１  ナット（留め具）
【図１】
2004346560.tif 000003
【図２】
2004346560.tif 000004
【図３】
2004346560.tif 000005
【図４】
2004346560.tif 000006
【図５】
2004346560.tif 000007
【図６】
2004346560.tif 000008
【図７】
2004346560.tif 000009
【図８】
2004346560.tif 000010
【図９】
2004346560.tif 000011
【図１０】
2004346560.tif 000012
【図１１】
2004346560.tif 000013
【図１２】
2004346560.tif 000014
【図１３】
2004346560.tif 000015
【図１４】
2004346560.tif 000016